(57)【要約】【課題】紙容器の裁断作業を容易に行うことができるとともに、紙容器の裁断箇所が解りやすい紙容器切断補助装置を提供する。【解決手段】四角柱状の紙容器を、ナイフを用いて手動により切断解体する際に用いる紙容器切断補助装置において、前記紙容器を収納して保持する角筒状の紙容器保持体に、前記紙容器の底辺部分を切断するために前記ナイフを案内する第１のナイフ案内部と、前記紙容器の側壁部分を切断するために前記ナイフを案内する第２のナイフ案内部と、を設け、前記紙容器保持体に紙容器を収納して抱持した状態で、第１のナイフ案内部及び第２のナイフ案内部に沿ってナイフを通すことにより、紙容器を切断解体可能とする。【選択図】図７
0003137458.tif 000002
【実用新案登録請求の範囲】
【請求項１】
四角柱状の紙容器を、ナイフを用いて手動により切断解体する際に用いる紙容器切断補助装置において、
前記紙容器を収納して保持する角筒状の紙容器保持体に、
前記紙容器の底辺部分を切断するために前記ナイフを案内する第１のナイフ案内部と、
前記紙容器の側壁部分を切断するために前記ナイフを案内する第２のナイフ案内部と、
を設けたことを特徴とする紙容器切断補助装置。
【請求項２】
前記紙容器保持体は、その長手方向の一端側を紙容器の挿入口とする一方、他端側を底部とするとともに、前記紙容器保持体の底部３辺に沿って略コ字状に形成した第１のスリットを前記第１のナイフ案内部とする一方、前記紙容器保持体の長手側の１つの稜線に沿って形成して前記第１のスリットと交差させた第２のスリットを前記第２のナイフ案内部としたことを特徴とする請求項１に記載の紙容器切断補助装置。
【請求項３】
四角柱状の紙容器を、ナイフを用いて手動により切断解体する際に用いる紙容器切断補助装置において、
角筒状に形成した紙容器保持体の長手方向の一端側開口を、前記紙容器を挿入する挿入口とする一方、他端側面を挿入した前記紙容器の底面と当接させる底壁部とし、
前記底壁部の３辺に沿ってスリットを形成して略コ字状の第１のナイフ案内部を設けるとともに、前記紙容器保持体の長手側の１つの稜線に沿って、前記第１のナイフ案内部と交差するスリットを形成して第２のナイフ案内部を設け、
前記紙容器保持体に前記紙容器を収納して抱持した状態で、前記第１のナイフ案内部及び第２のナイフ案内部に沿ってナイフを通すことにより、前記紙容器を切断解体可能としたことを特徴とする紙容器切断補助装置。
【請求項４】
前記紙容器保持体を形成する側壁の一部を、前記紙容器を前記挿入口に案内する紙容器案内部としたことを特徴とする請求項１〜３のいずれかに記載の紙容器切断補助装置。
【請求項５】
前記紙容器保持体の所定の側壁に、前記ナイフを収納するナイフ収納部を設けたことを特徴とする請求項１〜４のいずれかに記載の紙容器切断補助装置。
【考案の詳細な説明】
【技術分野】
【０００１】
本考案は、主として飲料用紙パック等の紙容器を裁断する際に用いられる紙容器切断補助装置に関するものである。
【背景技術】
【０００２】
従来、地球上の限られた資源を再利用するためにいわゆるリサイクル活動が盛んに行われている。特に、牛乳パックを代表とする紙容器の再利用価値が高く、また一般家庭でもかなりの量が排出されることから、その回収や再生が頻繁に行われている。
【０００３】
その際、紙容器は中空箱型の形状をしていることから、大量の紙容器を解体せずに保管或いは回収すると、広い保管スペースを必要とするのみならず、紙容器の回収作業も行い難いという問題があった。そのため、一般家庭では、紙容器を平面状に解体して重ねあわせて廃棄すべく、包丁、鋏或いはカッターナイフ等を用いて、紙容器の切断を行っている。
【０００４】
ところが、これらの紙容器は比較的紙厚も厚く紙質も丈夫で、しかも底部は強固に貼りあわされているため、紙容器の切断作業が煩雑であり、また例えば紙容器を把持しつつ裁断する際に手を切るおそれがある等の危険を伴うこともある。そこで、上方から紙容器を容器保持具に覆いかぶせ、カッター保持具に設けられたカッターを用いて紙容器を切断可能な紙容器解体具が提案されている（例えば特許文献１参照）。
【特許文献１】実開平５−２６０７２号公報
【考案の開示】
【考案が解決しようとする課題】
【０００５】
しかしながら、特許文献１によれば、紙容器の閉鎖端である底部側から切断をするものであることから、カッターで最初の切り込みをいれる作業の際に、例えば一方の手で紙容器を保持するとともに他方の手である程度の力をナイフに加えつつ紙容器をナイフで貫通させる必要が生じる等、切断作業が煩雑になるおそれがあるという問題があった。
【０００６】
また、特許文献１によれば、裁断後の紙容器の平面形状を所定の形状に解体するために、例えば紙容器の複数の辺のうちいずれの辺を裁断すればよいか等の紙容器の切断箇所がわかり難いという問題があった。
【０００７】
そこで、本考案は、上記従来の問題に鑑みてなされたものであり、その目的は、紙容器の切断作業を容易に行うことができるとともに、紙容器の切断箇所が解りやすい紙容器切断補助装置を提供することにある。
【課題を解決するための手段】
【０００８】
請求項１の考案では、四角柱状の紙容器を、ナイフを用いて手動により切断解体する際に用いる紙容器切断補助装置において、前記紙容器を収納して保持する角筒状の紙容器保持体に、前記紙容器の底辺部分を切断するために前記ナイフを案内する第１のナイフ案内部と、前記紙容器の側壁部分を切断するために前記ナイフを案内する第２のナイフ案内部と、を設けたことを特徴とする紙容器切断補助装置とした。
【０００９】
請求項２の考案では、請求項１記載の紙容器切断補助装置において、前記紙容器保持体は、その長手方向の一端側を紙容器の挿入口とする一方、他端側を底部とするとともに、前記紙容器保持体の底部３辺に沿って略コ字状に形成した第１のスリットを前記第１のナイフ案内部とする一方、前記紙容器保持体の長手側の１つの稜線に沿って形成して前記第１のスリットと交差させた第２のスリットを前記第２のナイフ案内部としたことを特徴とする。
【００１０】
請求項３の考案では、四角柱状の紙容器を、ナイフを用いて手動により切断解体する際に用いる紙容器切断補助装置において、角筒状に形成した紙容器保持体の長手方向の一端側開口を、前記紙容器を挿入する挿入口とする一方、他端側面を挿入した前記紙容器の底面と当接させる底壁部とし、前記底壁部の３辺に沿ってスリットを形成して略コ字状の第１のナイフ案内部を設けるとともに、前記紙容器保持体の長手側の１つの稜線に沿って、前記第１のナイフ案内部と交差するスリットを形成して第２のナイフ案内部を設け、前記紙容器保持体に前記紙容器を収納して抱持した状態で、前記第１のナイフ案内部及び第２のナイフ案内部に沿ってナイフを通すことにより、前記紙容器を切断解体可能としたことを特徴とする紙容器切断補助装置とした。
【００１１】
請求項４の考案では、請求項１ないし３のいずれかに記載の紙容器切断補助装置において、前記紙容器保持体を形成する側壁の一部を、前記紙容器を前記挿入口に案内する紙容器案内部としたことを特徴とする。
【００１２】
請求項５の考案では、請求項１ないし４のいずれかに記載の紙容器切断補助装置において、前記紙容器保持体の所定の側壁に、前記ナイフを収納するナイフ収納部を設けたことを特徴とする。
【考案の効果】
【００１３】
本発明によれば、紙容器の裁断作業を容易に行うことができるとともに、紙容器の裁断箇所が解りやすい紙容器切断補助装置を提供できる。
【考案を実施するための最良の形態】
【００１４】
以下、本考案の実施形態について説明する。
本実施形態に係る、紙容器切断補助装置は、を四角柱状の紙容器を、ナイフを用いて手動により切断解体する際に用いる紙容器切断補助装置において、前記紙容器を収納して保持する角筒状の紙容器保持体に、前記紙容器の底辺部分を切断するために前記ナイフを案内する第１のナイフ案内部と、前記紙容器の側壁部分を切断するために前記ナイフを案内する第２のナイフ案内部と、を設け、前記紙容器保持体に前記紙容器を収納して抱持した状態で、前記第１のナイフ案内部及び第２のナイフ案内部に沿ってナイフを通すことにより、前記紙容器を切断解体可能としたものである。
【００１５】
以下、本発明に好適な実施形態の一例について、図面を用いて説明する。
図１は本実施形態の紙容器切断補助装置１０の概観を示す斜視図、図２は同紙容器切断補助装置１０の正面図、図３は同紙容器切断補助装置１０の平面図、図４は図３のＸ−Ｘ´線断面図、図５は図３のＹ−Ｙ´線断面図である。
本実施形態の紙容器切断補助装置１０は、図１〜図５に示すように、角筒状の紙容器保持体１２に、第１のナイフ案内部としての第１のスリット１４と、第２のナイフ案内部としての第２のスリット１６と、を設けた構成となっている。
【００１６】
まず、紙容器保持体１２は、角筒状に連結される第１の側板２４、第２の側板２５、第３の側板２６及び第４の側板２７と、紙容器保持体１２の底部に相当する底板２０と、を備える。以下、第１の側板２４、第２の側板２５、第３の側板２６、第４の側板２７及び底板２０は合成樹脂製の平板として説明する。
【００１７】
第１の側板２４は、例えば紙容器３０（図７参照）の高さと略同じ長さの長辺と紙容器３０の底辺よりやや短い長さの短辺とを有する長方形状平板で形成される（図３参照）。また、第３の側板２６は、例えば第１の側板２４の長辺の略１．２倍〜１．５倍の長さの長辺と紙容器３０の底辺の長さと略同じ短辺とを有する長方形状平板で形成される（図３参照）。また、第２の側板２５は、前記第３の側板２６と略同じ長さの長辺と紙容器３０の底辺よりやや短い長さの短辺とを有する長方形状平板の一つの角に、前記短辺の略３分の一〜２分の一の角取りを施した略台形状平板で形成される（図１参照）。さらに、第４の側板２７は、前記第３の側板２６と略同じ長さの長辺及び短辺を有する長方形状平板の一つの角に、前記短辺の略３分の一〜２分の一の角取りを施した略台形状平板で形成される（図２参照）。
【００１８】
そして、これらの第１の側板２４、第２の側板２５、第３の側板２６及び第４の側板２７は、両端が開放した角筒状に連結される。具体的には、図１、図３〜図５に示すように、まず、第３の側板２６と第２の側板２５とが、第３の側板２６の一方の長辺と、第２の側板２５の角取りを施していない長辺とを当接させた状態で、Ｌ字アングル金具２８を介して連結される。つぎに、第３の側板２６と第４の側板２７とが、第３の側板２６の他方の長辺と、第４の側板２７の角取りを施していない長辺とを当接させた状態でＬ字アングル金具２８を介して連結される。さらに、第４の側板２７と第１の側板２４とが、第４の側板２７の角取りを施した長辺と、第１の側板２４の一つの長辺とを当接させた状態で、Ｌ字アングル金具２８を介して連結される。このように、第１の側板２４、第２の側板２５、第３の側板２６及び第４の側板２７は、紙容器保持体１２の側壁を形成する（図１及び図５参照）
【００１９】
次に、上述した底板２０は、紙容器の底部３２（図７参照）と略同形でやや小さいサイズの略正四角形状平板で形成される。そして、底板２０は、上述のように両端が開放した角筒状に連結される第１の側板２４、第２の側板２５、第３の側板２６及び第４の側板２７の一端側に設けられ、当該一端側の開放端を閉鎖状態としている。具体的には、底板２０は、図１に示すように、上述した第２の側板２５及び第４の側板２７の角取りが施されていない側に配置され、例えば第３の側板２６の短辺と底板２０の一つの辺とを当接させた状態で、当該第３の側板２６とＬ字アングル金具２８´を介して連結される（図３及び図４参照）。
したがって、上述のごとく連結された第１の側板２４、第２の側板２５、第３の側板２６、第４の側板２７及び底板２０の内側に紙容器３０は収納可能となり、紙容器保持体１２は、紙容器３０を収納して保持可能な角筒状に形成される。
【００２０】
また、紙容器保持体１２は、図１及び図４に示すように、その長手方向の底部（底板２０）側と反対端、具体的には第１の側板２４の底部（底板２０）側と反対端近傍を開放端とし、当該開放端を紙容器３０の挿入口１８としている。
上述のごとく、紙容器保持体１２は、その長手方向の一端側を紙容器３０の挿入口１８とする一方、他端側を底部とする構成となっているのである。
【００２１】
次に、本実施形態の要部である第１のスリット１４及び第２のスリット１６について説明する。
上述のごとく、底板２０は、紙容器保持体１２の長手方向の一端側に配置されるが、その際、底板２０は、図３及び図４に示すように、第１の側板２４、第２の側板２５及び第４の側板２７のそれぞれの端と、当該それぞれの端に対向する底板２０の各辺とが、ナイフが通過可能な程度、例えば略５ｍｍ〜８ｍｍの間隔ｔ（図４参照）で離隔して配置され、第３の側板２６と連結する。すなわち、図５に示すように、紙容器保持体１２の底部３辺であって第１の側板２４、第２の側板２５、第４の側板２７のそれぞれの端と対向する底部３辺に沿って略コ字状のスリットが形成されており、当該スリットを第１のスリット１４としている。
【００２２】
したがって、紙容器３０を、挿入口１８から挿入して紙容器の底部３２を前記底板２０に当接させつつ紙容器保持体１２に収納すると、紙容器３０の底辺部分、具体的には第１のスリット１４に対応する紙容器３０の３つの底辺部分が第１のスリット１４から露出することとなり（図７及び図８参照）、当該紙容器３０の３つの底辺部分を切断箇所として容易に認識可能となる。すなわち、紙容器３０の切断箇所が解りやすい。
また、後述するように、紙容器３０を切断するために前記紙容器３０の底辺を切断方向としてナイフ４０を通している途中に、ナイフ４０が当該切断方向（底辺）から離隔する方向に移動しても、ナイフ４０は第１のスリット１４の縁に当接し、それ以上底辺から離れて切断することはない。すなわち、当該第１のスリット１４を介して略底辺に沿って紙容器３０を切断できる。このように、第１のスリット１４は、紙容器３０の底辺部分を切断するためにナイフを案内する第１のナイフ案内部として機能する構成となっているのである。
【００２３】
次に、第２のスリット１６について説明する。
上述のごとく、第１の側板２４、第２の側板２５、第３の側板２６及び第４の側板２７は角筒状に連結されるが、その際、第１の側板２４と第２の側板２５とは連結されておらず、逆に第１の側板２４と第２の側板２５との対向する長辺どうしは、ナイフが通過可能な程度、例えば略５ｍｍ〜８ｍｍの間隔ｈ（図５参照）で離隔して配置される。このように、第１の側板２４と第２の側板２５の対向する長辺どうしが離隔した部分、すなわち紙容器保持体１２の長手側の一つの稜線に沿ってスリットが形成され、当該スリットを第２のスリット１６としている。
【００２４】
したがって、紙容器３０を、紙容器保持体１２に収納した状態では、第２のスリット１６から紙容器３０の一つの稜線が露出することとなり（図７及び図８参照）、当該紙容器の一つの稜線を切断箇所として容易に認識可能となる。すなわち、紙容器３０の切断箇所が解りやすい。
また、後述するように、紙容器３０を切断するために前記紙容器３０の稜線を切断方向としてナイフ４０を通している途中に、ナイフ４０が当該切断方向（稜線）から離隔する方向に移動しても、ナイフ４０は第２のスリット１６の縁に当接し、それ以上稜線から離れて切断することはない。すなわち、当該第２のスリット１６を介して略稜線に沿って紙容器３０を切断できる。このように、第２のスリット１６は、紙容器３０の側壁部分（具体的には稜線部分）を切断するためにナイフを案内する第２のナイフ案内部として機能する構成となっているのである。
【００２５】
ここで、第１のスリット１４と第２のスリット１６とは、図１に示すように、第２のスリット１６の底部側において交差させた構成となっており、後述の手順により紙容器３０を切断することで、容易に紙容器３０を所定の形（図１０参照）に切断解体することができる。
【００２６】
また、本実施形態の紙容器切断補助装置１０は、図１及び図４に示すように、紙容器保持体１２の前記挿入口１８から外方に突出する部分、具体的には第２の側板２５、第３の側板２６及び第４の側板２７の前記挿入口１８から外方に突出する部分を、紙容器３０を挿入口１８に案内する紙容器案内部２２としている。すなわち、紙容器保持体１２を形成する側壁の一部を、紙容器３０を挿入口１８に案内する紙容器案内部２２とした構成となっているのである。
【００２７】
なお、本実施系形態の紙容器切断補助装置１０は、紙容器３０を切断する際に用いるナイフ４０を収納するためのナイフ収納部２９を備えており、前記ナイフ収納部２９について図６を用いて説明する。図６は、ナイフ収納部２９を説明する斜視図である。
前記ナイフ収納部２９は、例えばその中にカッターナイフ等のナイフ４０を収納可能な大きさで、一端が開放した有底の角筒状箱体で形成される。そして、ナイフ収納部２９は、例えば第４の側板２７の挿入口１８近傍に固設される。すなわち、紙容器保持体１２の所定の側壁としての第４の側板２７に、ナイフ４０を収納するナイフ収納部２９を設けた構成となっているのである。
このような構成とすることで、常時はナイフ４０をナイフ収納部２９に収納した状態で紙容器切断補助装置１０を保管しておけば、紙容器３０を切断する際にナイフ４０を探す手間が省ける。
【００２８】
上述のように、本実施形態の紙容器切断補助装置１０は、合成樹脂製を前提として説明してきたが、アルミニウム等の金属製であってもよい。
【００２９】
このように、構成された本実施形態の紙容器切断補助装置１０を用いて紙容器３０を切断する場合の手順の例について図７〜図１０を用いて説明する。
図７〜図９は、本実施形態の紙容器切断補助装置１０の使用例を説明する斜視図である。図１０（ａ）は、同紙容器切断補助装置１０を用いた紙容器３０の解体形状の平面図、図１０（ｂ）は同紙容器３０の解体形状の斜視図である。
【００３０】
まず、図７（ａ）に示すように、一端側を開放させた状態の四角柱状の紙容器３０を紙容器保持体１２の挿入口１８に挿入する。その際、前記紙容器案内部２２を介して、紙容器３０を円滑に前記挿入口１８に挿入させることができる。次に、紙容器３０を押し込み、底板２０に紙容器の底部３２を当接させる（図７（ｂ）参照）。
【００３１】
次に、図７（ｂ）に示すように、紙容器３０の一つの稜線であるＡ−Ｂ部分（図７（ａ）参照）を、第２のナイフ案内部を介して切断する。その際、当該Ａ−Ｂ部分は、第２のスリット１６（第２のナイフ案内部）に沿って容易に認識でき、紙容器３０の切断箇所が解りやすい。また、Ａ−Ｂ部分の切断を開始する際には、ナイフ４０を、先ず紙容器３０の開放端側、具体的にはＡ−Ｂ部分のＡ側に当接させて開始すればよいので、紙容器３０を貫通させて最初の切り込みを入れる等の煩雑な作業も不要となり、紙容器３０の切断作業を容易に行うことができる。
そして、紙容器３０の稜線（Ａ―Ｂ部分）に沿ってナイフ４０を底板２０側に移動させつつ、当該稜線（Ａ―Ｂ部分）を切断する。その際、ナイフ４０が、稜線（Ａ―Ｂ部分）から離隔する方向に移動しても、ナイフ４０は第２のスリット１６の縁に当接し、それ以上稜線（Ａ―Ｂ部分）から離れることなく紙容器３０を切断できる。すなわち略稜線（Ａ―Ｂ部分）に沿って紙容器３０を切断できる。
【００３２】
次に、紙容器３０の３つの底辺を第１のナイフ案内部を介して切断する。
その際、第１のスリット１４（第１のナイフ案内部）と第２のスリット１６（第２のナイフ案内部）とは交差しているので、ナイフ４０を第２のスリット１６に挿入しつつ第１のスリット１４へとナイフ４０を容易に移動させることができる。
そして、図８（ａ）に示すように、紙容器３０の一つの底辺であるＢ−Ｃ部分（図７（ａ）参照）を切断する。その際、当該Ｂ−Ｃ部分は、第１のスリット１４（第１のナイフ案内部）に沿って容易に認識でき、紙容器３０の切断箇所が解りやすい。
また、紙容器３０の一つの底辺（Ｂ−Ｃ部分）に沿ってナイフ４０を移動させつつ、当該底辺（Ｂ−Ｃ部分）を切断する際に、ナイフ４０が、当該底辺（Ｂ−Ｃ部分）から離隔する方向に移動しても、ナイフ４０は第１のスリット１４の縁に当接し、それ以上底辺（Ｂ−Ｃ部分）から離れることなく紙容器３０を切断できる。すなわち略底辺（Ｂ−Ｃ部分）に沿って紙容器３０を切断できる。
【００３３】
次に、図８（ｂ）に示すように、紙容器３０の一つの底辺であるＢ−Ｄ部分（図７（ａ）参照）を切断するが、その説明は上述の説明と重複するので省略する。
【００３４】
次に、図９（ａ）に示すように、紙容器３０の一つの底辺であるＤ−Ｅ部分（図７（ａ）参照）を切断するが、その説明は上述の説明と重複するので省略する。
そして、Ｄ−Ｅ部分（図７（ａ）参照）の切断が終了すると、紙容器３０の切断作業は終了する。
【００３５】
以上の説明の手順で紙容器３０を切断すると、当該紙容器３０を、常に図１０（ａ）に示すような所定の形状に解体することができる。したがって、複数の紙容器３０を切断しても、図１０（ｂ）に示すように、これらの切断後の紙容器３０を束ね易く重ね合わせることができる。
【００３６】
このように、上述した実施形態によれば、紙容器の裁断作業を容易に行うことができるとともに、紙容器の裁断箇所が解りやすい紙容器切断補助装置を提供できる。
【００３７】
以上の実施形態により、以下の紙容器切断補助装置が実現される。
すなわち、四角柱状の紙容器を、ナイフを用いて手動により切断解体する際に用いる紙容器切断補助装置において、前記紙容器を収納して保持する角筒状の紙容器保持体（例えば、紙容器保持体１２）に、前記紙容器の底辺部分を切断するために前記ナイフを案内する第１のナイフ案内部（例えば、第１のスリット１４）と、前記紙容器の側壁部分を切断するために前記ナイフを案内する第２のナイフ案内部（例えば、第２のスリット１６）と、を設けた紙容器切断補助装置（紙容器切断補助装置１０）。
【００３８】
また、前記紙容器保持体（例えば、紙容器保持体１２）は、その長手方向の一端側を紙容器の挿入口（例えば、挿入口１８）とする一方、他端側を底部（例えば、底板２０）とするとともに、前記紙容器保持体の底部３辺に沿って略コ字状に形成した第１のスリット（例えば、第１のスリット１４）を前記第１のナイフ案内部とする一方、前記紙容器保持体の長手側の１つの稜線に沿って形成して前記第１のスリットと交差させた第２のスリット（例えば、第２のスリット１６）を前記第２のナイフ案内部とした紙容器切断補助装置（紙容器切断補助装置１０）。
【００３９】
また、四角柱状の紙容器を、ナイフを用いて手動により切断解体する際に用いる紙容器切断補助装置において、角筒状に形成した紙容器保持体（例えば、紙容器保持体１２）の長手方向の一端側開口を、前記紙容器を挿入する挿入口（例えば、挿入口１８）とする一方、他端側面を挿入した前記紙容器の底面と当接させる底壁部（例えば、底板２０）とし、前記底壁部の３辺に沿ってスリット（例えば、第１のスリット１４）を形成して略コ字状の第１のナイフ案内部を設けるとともに、前記紙容器保持体の長手側の１つの稜線に沿って、前記第１のナイフ案内部と交差するスリット（例えば、第２のスリット１６）を形成して第２のナイフ案内部を設け、前記紙容器保持体に前記紙容器を収納して抱持した状態で、前記第１のナイフ案内部及び第２のナイフ案内部に沿ってナイフを通すことにより、前記紙容器を切断解体可能とした紙容器切断補助装置（紙容器切断補助装置１０）。
【００４０】
また、前記紙容器保持体（例えば、紙容器保持体１２）を形成する側壁の一部を、前記紙容器を前記挿入口（例えば、挿入口１８）に案内する紙容器案内部（例えば、紙容器案内部２２）を設けた紙容器切断補助装置（紙容器切断補助装置１０）。
【００４１】
また、前記紙容器保持体（例えば、紙容器保持体１２）の所定の側壁（例えば、第４の側板２７）に、前記ナイフを収納するナイフ収納部（例えば、ナイフ収納部２９）を設けた紙容器切断補助装置（紙容器切断補助装置１０）。
【００４２】
以上、本考案の実施形態のうちのいくつかを図面に基づいて詳細に説明したが、これらはあくまでも例示であり、当業者の知識に基づいて種々の変形、改良を施した他の形態で本考案を実施することが可能である。
【図面の簡単な説明】
【００４３】
【図１】本考案の一実施形態の紙容器切断補助装置における概観を示す斜視図である。
【図２】本考案の一実施形態の紙容器切断補助装置の正面図である。
【図３】本考案の一実施形態の紙容器切断補助装置の平面図である。
【図４】図３のＸ−Ｘ´線断面図である。
【図５】図３のＹ−Ｙ´線断面図である
【図６】本考案の一実施形態のナイフ収納部を説明する斜視図である。
【図７】本考案の一実施形態の紙容器切断補助装置における使用例を示す説明図である。
【図８】本考案の一実施形態の紙容器切断補助装置における使用例を示す説明図である。
【図９】本考案の一実施形態の紙容器切断補助装置における使用例を示す説明図である。
【図１０】本考案の一実施形態の紙容器切断補助装置を用いて切断解体した紙容器の説明図である。
【符号の説明】
【００４４】
１０  紙容器切断補助装置
１２  紙容器保持体  
１４  第１のスリット（第１のナイフ案内部）  
１６  第２のスリット（第２のナイフ案内部）
１８  挿入口
２０  底板（紙容器保持体の底部）
２２  紙容器案内部
２４，２５，２６，２７  側板（紙容器保持体の側壁）
２９  ナイフ収納部
３０  紙容器  
４０  ナイフ
【図１】
0003137458.tif 000003
【図２】
0003137458.tif 000004
【図３】
0003137458.tif 000005
【図４】
0003137458.tif 000006
【図５】
0003137458.tif 000007
【図６】
0003137458.tif 000008
【図７】
0003137458.tif 000009
【図８】
0003137458.tif 000010
【図９】
0003137458.tif 000011
【図１０】
0003137458.tif 000012